【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
送信側に設けられた送信側通信機能に基づいて一定間隔毎に送信されるパケットデータを受信する受信機能、及び前記送信側へ少なくとも正常又は再送信を要求する異常の応答信号を返信する返信機能を備えた通信制御手段と、
前記再送信以外の通常送信によって受信したパケットデータと、前記再送信によって受信したパケットデータと、を区別して格納し、格納されたパケットデータを次工程へ送出する場合に、前記再送信によって入れ替わったパケットデータの受信順序を調整する調整手段と、
を有する通信制御装置。
【請求項２】
送信側に設けられた送信側通信機能に基づいて一定間隔毎に送信されるパケットデータを受信する受信機能、及び前記送信側へ少なくとも正常又は再送信を要求する異常の応答信号を返信する返信機能を備えた通信制御手段と、
前記再送信以外の通常送信によって受信したパケットデータを格納する通常送信用バッファと、前記再送信によって受信したパケットデータを格納する再送信用バッファとを備え、それぞれ格納したパケットデータを次工程へ送出すると共に、通常送信用バッファにおいてはと格納領域が２段以上設けられ先入れ先出し方式に基づき格納領域をシフトさせて次工程へ送出する送出制御手段と、
前記送出制御手段で送出したパケットデータを、前記通常送信用バッファ又は前記再送信用バッファから削除して次のパケットデータの格納を許可すると共に、前記通常送信用バッファの最下流段の格納領域に格納されたパケットデータが、前記再送信の原因となるパケットデータの場合には、次工程へ送出せずに削除する削除手段と、
前記再送信用バッファに格納されたパケットデータが次工程へ送出するまでは、前記通常送信用バッファの最下流段の格納領域に格納されている、前記異常の応答信号の要因となるパケットデータの削除を禁止する禁止手段と、
を有する通信制御装置。
【請求項３】
前記送出制御手段が、
前記受信したパケットデータが、通常送信か再送信かを判定する送信種判定手段と、
前記送信種判定手段での判定結果に基づき、前記パケットデータの書き込み先を、前記通常送信用バッファ又は前記再送信用バッファの何れかに指定する指定手段と、
前記応答信号が正常か異常かを判定する応答信号判定手段と、
前記削除手段及び前記禁止手段の実行を制御して、前記応答信号判定手段での判定結果が、正常の応答信号の場合は前記通常送信用バッファ及び前記再送信用バッファの両方のパケットデータを削除し、異常の応答信号の場合は前記再送信用バッファのパケットデータを削除するように指示する削除指示手段と、
を備える請求項２記載の通信制御装置。
【請求項４】
少なくとも受信した画像情報に基づいて記録用紙へ画像を形成する画像形成部と、
前記画像形成部による画像形成処理を制御する画像形成制御部と、
前記画像形成制御部に対して、配線数がパラレル通信回線よりも少ないシリアル通信回線を介して接続され、前記受信した画像情報を前記画像形成制御部へ送信する主制御部と、
前記主制御部が送信側、前記画像形成制御部が受信側とされ、一定間隔毎に前記シリアル通信回線を介してパケットデータを受信する受信側から正常又は異常の応答信号を送信側へ返信し、異常の応答信号を受けた送信側は、該当するパケットデータを前記一定間隔の送信に割り込ませて再送信する通信手順を制御する通信制御手段と、
前記再送信以外の通常送信によって受信したパケットデータと、前記再送信によって受信したパケットデータと、を区別して格納し、格納されたパケットデータを次工程へ送出する場合に、前記再送信によって受信順序が入れ替わったパケットデータの順序を調整する調整手段と、
を有する画像処理装置。
【請求項５】
一定間隔毎にパケットデータを受信し、
再送信以外の通常送信によって受信したパケットデータを通常送信用バッファに格納し、再送信によって受信したパケットデータを再送信用バッファに格納し、
それぞれ格納したパケットデータを次工程へ送出すると共に、通常送信用バッファにおいてはと格納領域が２段以上設けられ先入れ先出し方式に基づき格納領域をシフトさせて次工程へ送出し、
送出したパケットデータを、前記通常送信用バッファ又は前記再送信用バッファから削除すると共に、前記通常送信用バッファの最下流段の格納領域に格納されたパケットデータが、前記再送信の原因となるパケットデータの場合には、次工程へ送出せずに削除して次のパケットデータの格納を許可することを原則とし、
例外として、前記再送信用バッファに格納されたパケットデータが次工程へ送出するまでは、前記通常送信用バッファの最下流段の格納領域に格納されている、異常の応答信号の要因となるパケットデータの削除を禁止する、
ことを実行させる転送制御プログラム。
【手続補正２】
【補正対象書類名】明細書
【補正対象項目名】００１０
【補正方法】変更
【補正の内容】
【００１０】
請求項３に記載の発明は、前記請求項２に記載の発明において、前記送出制御手段が、前記受信したパケットデータが、通常送信か再送信かを判定する送信種判定手段と、前記送信種判定手段での判定結果に基づき、前記パケットデータの書き込み先を、前記通常送信用バッファ又は前記再送信用バッファの何れかに指定する指定手段と、前記応答信号が正常か異常かを判定する応答信号判定手段と、前記削除手段及び前記禁止手段の実行を制御して、前記応答信号判定手段での判定結果が、正常の応答信号の場合は前記通常送信用バッファ及び前記再送信用バッファの両方のパケットデータを削除し、異常の応答信号の場合は前記再送信用バッファのパケットデータを削除するように指示する削除指示手段と、を備える。
【手続補正３】
【補正対象書類名】明細書
【補正対象項目名】００１１
【補正方法】変更
【補正の内容】
【００１１】
請求項４に記載の発明は、少なくとも受信した画像情報に基づいて記録用紙へ画像を形成する画像形成部と、前記画像形成部による画像形成処理を制御する画像形成制御部と、前記画像形成制御部に対して、配線数がパラレル通信回線よりも少ないシリアル通信回線を介して接続され、前記受信した画像情報を前記画像形成制御部へ送信する主制御部と、前記主制御部が送信側、前記画像形成制御部が受信側とされ、一定間隔毎に前記シリアル通信回線を介してパケットデータを受信する受信側から正常又は異常の応答信号を送信側へ返信し、異常の応答信号を受けた送信側は、該当するパケットデータを前記一定間隔の送信に割り込ませて再送信する通信手順を制御する通信制御手段と、前記再送信以外の通常送信によって受信したパケットデータと、前記再送信によって受信したパケットデータと、を区別して格納し、格納されたパケットデータを次工程へ送出する場合に、前記再送信によって受信順序が入れ替わったパケットデータの順序を調整する調整手段と、を有する画像処理装置である。
【手続補正４】
【補正対象書類名】明細書
【補正対象項目名】００１２
【補正方法】変更
【補正の内容】
【００１２】
請求項５に記載の発明は、一定間隔毎にパケットデータを受信し、再送信以外の通常送信によって受信したパケットデータを通常送信用バッファに格納し、再送信によって受信したパケットデータを再送信用バッファに格納し、それぞれ格納したパケットデータを次工程へ送出すると共に、通常送信用バッファにおいてはと格納領域が２段以上設けられ先入れ先出し方式に基づき格納領域をシフトさせて次工程へ送出し、送出したパケットデータを、前記通常送信用バッファ又は前記再送信用バッファから削除すると共に、前記通常送信用バッファの最下流段の格納領域に格納されたパケットデータが、前記再送信の原因となるパケットデータの場合には、次工程へ送出せずに削除して次のパケットデータの格納を許可することを原則とし、例外として、前記再送信用バッファに格納されたパケットデータが次工程へ送出するまでは、前記通常送信用バッファの最下流段の格納領域に格納されている、異常の応答信号の要因となるパケットデータの削除を禁止する、ことを実行させる転送制御プログラムである。